(57)【要約】      （修正有）【課題】リングロープが張った状態と弛んだ状態へ、容易に移行することができ、車椅子に乗った状態でもリングに入ることができるコーナーポストを提供する。【解決手段】コーナーポスト１００は、格闘技用リングに設置され、立った状態で固定される第一支柱１と、リングロープが取り付けられる第二支柱２と、第一支柱１と第二支柱２とを繋ぐワイヤ３とを有し、第一支柱１と第二支柱２とは、接続部材４によって接続され、第二支柱２は、接続部材４との取付部分４１を中心に回動し、第一支柱１は、ワイヤ巻き上げ機１１と第一支柱１の上端部に設けられた滑車１２、１３とを有し、ワイヤ３は、一端がワイヤ巻き上げ機１１に接続され、ワイヤ巻き上げ機１１から第一支柱１上方に伸び、滑車を介して第二支柱２の先端方向に曲げられ、他端が第二支柱２の先端部に接続されている。【選択図】図１
0003235378.tif 000002
【実用新案登録請求の範囲】
【請求項１】
格闘技用リングの角に設置されるコーナーポストであって、
立った状態で固定される第一支柱と、リングロープが取り付けられる第二支柱と、前記第一支柱と前記第二支柱とを繋ぐワイヤとを有し、
前記第一支柱の下部と前記第二支柱の下部とは、接続部材によって接続され、
前記第二支柱は、前記接続部材との取付部分を中心に回動するよう構成され、
前記第一支柱は、ワイヤ巻き上げ機と、前記第一支柱の上端部に設けられた滑車とを有し、
前記ワイヤは、一端が前記ワイヤ巻き上げ機に接続され、前記ワイヤ巻き上げ機から前記第一支柱上方に伸び、前記滑車を介して前記第二支柱の先端方向に曲げられ、他端が前記第二支柱の先端部に接続されている、コーナーポスト。
【請求項２】
前記第一支柱の上部と前記第二支柱の上部とが隣り合った状態を維持するための固定部材を有する、請求項１に記載のコーナーポスト。
【考案の詳細な説明】
【技術分野】
【０００１】
本考案は、格闘技用リングの角に設置されるコーナーポストに関する。
【背景技術】
【０００２】
ボクシングなどの格闘技において、リングは重要な設備の一つであり、様々なリング設備が開発されている（例えば、特許文献１）。
ところで、近年、車椅子テニス、車椅子バスケットボール、車椅子ラグビー等といった車椅子を使用している方々のスポーツが盛んになってきている。
【０００３】
そのような中、車椅子ボクシングも注目されてきている。
車椅子ボクシングは、ロープが張られたリング内で、車椅子に乗った状態でボクシングを行うスポーツである。
【先行技術文献】
【特許文献】
【０００４】
【特許文献１】特開２０１７−１１８９５３号公報
【考案の概要】
【考案が解決しようとする課題】
【０００５】
ところで、従来のリングロープは、試合直前においては張った状態が維持されているため、車椅子に乗ったままでは、リング内に上がることができないといった問題がある。リングロープを弛ませることも考えられるが、一度弛ませると、張るまで手間がかかり、試合開始まで時間がかかってしまう問題もある。
【０００６】
そこで、本考案は、リングロープが張った状態から弛んだ状態へ、及び、リングロープが弛んだ状態から張った状態へ、容易に移行することができ、車椅子に乗った状態でもリングに入ることができるコーナーポストを提供することを目的とする。
【課題を解決するための手段】
【０００７】
本考案に係るコーナーポストは、格闘技用リングの角に設置されるコーナーポストであって、
立った状態で固定される第一支柱と、リングロープが取り付けられる第二支柱と、前記第一支柱と前記第二支柱とを繋ぐワイヤとを有し、
前記第一支柱の下部と前記第二支柱の下部とは、接続部材によって接続され、
前記第二支柱は、前記接続部材との取付部分を中心に回動するよう構成され、
前記第一支柱は、ワイヤ巻き上げ機と、前記第一支柱の上端部に設けられた滑車とを有し、
前記ワイヤは、一端が前記ワイヤ巻き上げ機に接続され、前記ワイヤ巻き上げ機から前記第一支柱上方に伸び、前記滑車を介して前記第二支柱の先端方向に曲げられ、他端が前記第二支柱の先端部に接続されている。
【考案の効果】
【０００８】
本考案によれば、リングロープが張った状態から弛んだ状態へ、及び、リングロープが弛んだ状態から張った状態へ、容易に移行することができ、車椅子に乗った状態でもリングに入ることができるコーナーポストを提供することことができる。
【図面の簡単な説明】
【０００９】
【図１】本考案の一実施形態に係るコーナーポストの第二支柱が立っている状態を示す側面図である。
【図２】本考案の一実施形態に係るコーナーポストの第二支柱が倒れている状態を示す側面図である。
【図３】図１に示すコーナーポストの上面図である。
【考案を実施するための形態】
【００１０】
以下、本考案に係るコーナーポストの好適な実施形態について説明する。
本考案に係るコーナーポストは、格闘技用リングの角に設置されるコーナーポストとして用いられるものである。
図１は、本考案の一実施形態に係るコーナーポストの第二支柱が立っている状態を示す側面図、図２は、本考案の一実施形態に係るコーナーポストの第二支柱が倒れている状態を示す側面図、図３は、図１に示す状態のコーナーポストの上面図である。
【００１１】
本考案に係るコーナーポスト１００は、図１〜３に示すように、第一支柱１と、第二支柱２と、第一支柱１と第二支柱２とを繋ぐワイヤ３とを有している。
本実施形態において、第一支柱１及び第二支柱２は、柱状の部材であり、図示の構成では、それぞれ四角柱であるが、円柱であってもよい。
第一支柱１は、リングや室内の床や地面に垂直に立った状態で固定されるもので、第二支柱２を支える機能を備えている。
【００１２】
第二支柱２は、第一支柱１のリングの中央側に隣り合うように設けられており、接続部材４によって、その下部が第一支柱１の下部に接続されている。
そして、第二支柱２は、接続部材４との取付部分４１を中心に回動するよう構成されている。すなわち、図１の矢印の方向に第二支柱２を回動する（倒す）と、図２のような状態となり、図２の矢印の方向に第二支柱２を回動する（立てる）と、図１のような状態となる。
第二支柱２の第一支柱１とは反対側には、４つのリングロープ取付具２１が設けられている。なお、リングロープ取付具２１は、張るリングロープの本数によって適宜増減することができる。
【００１３】
第一支柱１には、ワイヤ巻き上げ機１１と、滑車１２と、滑車１３とが設けられている。
本実施形態では、ワイヤ巻き上げ機１１は、図に示すように、第一支柱１の第二支柱２が接続されている側とは反対側の面に設けられているが、同じ側の面に設けられていてもうよい。また、ワイヤ巻き上げ機１１の取り付け位置は、図示の構成では、第一支柱１の下側であるが、上側であっても、中間近傍であってもよい。
本実施形態では、ワイヤ巻き上げ機１１は、ハンドル１１１を有し、ハンドル１１１を回すことで、ワイヤ３を巻き取ったり巻き出したりすることが可能となっている。なお、図示の構成のコーナーポスト１００では、ワイヤ巻き上げ機１１は手動であるが、電動であってもよい。
【００１４】
滑車１２は、第一支柱１の上端部の側面に設けられており、滑車１３は、第一支柱１の上端部の上面に設けられている。本実施形態では、２つの滑車が設けられているが、これに限定されず、１つであってもよいし、３つ以上であってもよい。
ワイヤ３は、その一端がワイヤ巻き上げ機１１に接続されており、その他端が第二支柱２の先端部に設けられたワイヤ接続部２２に接続されている。
ワイヤ３は、図示のように、巻き上げ機１１から第一支柱１の上端部の滑車１２の方向に伸び、滑車１２と滑車１３とを介して、第二支柱２の先端方向に曲げられ、第二支柱２のワイヤ接続部２２まで伸びている。
【００１５】
このような構成のコーナーポスト１００では、図１のように第二支柱２が立っていて、第一支柱１と略平行な状態では、リングロープが張った状態を維持しているが、ワイヤ巻き上げ機１１よりワイヤ３を巻き出すことにより、図２のように第二支柱２がリング中心に向かって倒れる。図２のように第二支柱２が倒れると、張っていたリングロープが弛み、リングロープが地面に落ちて接触した状態となり、車椅子を乗った状態でも容易にリング内に上ることができるようになる。
さらに、競技者がリングに上がった後は、巻き上げ機１１によってワイヤ３を巻き取ることで、第一支柱１と第二支柱２とが平行な状態になり、リングロープが張った状態とすることができる。ワイヤ３を巻き取るだけで容易にリングロープを張った状態に戻せるので、すぐに競技を開始することができる。
【００１６】
なお、図１〜３に示すように、第一支柱１の上部と第二支柱２の上部とが隣り合った状態を維持するため、すなわち、第二支柱２が立っている状態を維持するための固定部材５が設けられていることが好ましい。これにより、不本意に第二支柱２が倒れてしまうことを効果的に防止することができる。
図示の構成の固定部材５は、打ち掛け錠構造をしており、アーム５１とアーム受け５２とで構成されている。なお、固定部材５は、打ち掛け錠構造に限定されず、アオリ止め構造や掛金構造であってもよい。
なお、第一支柱１や第二支柱２の高さは、一般的なコーナーポストに用いる支柱と同程度とすることができ、必要に応じて適宜変更することができる。
【００１７】
以上、本考案のコーナーポストの好適な実施形態について説明したが、本考案はこれに限定されない。
【符号の説明】
【００１８】
１          第一支柱
２          第二支柱
３          ワイヤ
４          接続部材
５          固定部材
１１        ワイヤ巻き上げ機
１２、１３  滑車
２１        リングロープ取付具
２２        ワイヤ接続部
４１        取付部分
５１        アーム
５２        アーム受け
１００      コーナーポスト
【図１】
0003235378.tif 000003
【図２】
0003235378.tif 000004
【図３】
0003235378.tif 000005